(57)【要約】【課題】  シャッター操作からシャッターの作動までタイムラグを有した銀塩カメラと電子スチルカメラとを連係して同時に撮影を行えるシンクロレリーズを構成する。【解決手段】  レリーズボタン３を操作することより制御装置２がシャッター制御端子７によって銀塩カメラＡのミラーをアップさせ、これと並行して制御装置２がシャッター制御端子５によって電子スチルカメラＢのシャッターを作動させ、この後、電子スチルカメラＢのシンクロ端子２４がＯＮ状態に達した際にホットシュー６からソレノイドレリーズ４に電力を供給して銀塩カメラＡのレンズシャッターを作動させるようにシンクロレリーズを構成した。【選択図】        図１
2005265983.tif 000002
【特許請求の範囲】
【請求項１】
撮影画像を銀塩式のフィルムに保存する銀塩カメラと、撮影画像をデジタル信号化して記録媒体に保存する電子スチルカメラとを同期して撮影作動させるシンクロレリーズであって、
前記銀塩カメラは、ミラーアップ作動と、レンズシャッターの作動とを独立して行えるよう構成され、前記電子スチルカメラは、シャッターの作動と連係してＯＮ状態となるシンクロ端子を備えて構成され、
レリーズ操作に基づいて前記銀塩カメラのミラーアップ作動と、前記電子スチルカメラのシャッター作動とを並行して行い、次に前記シンクロ端子からの信号に基づいて前記レンズシャッターを作動させるよう作動順序を設定してあるシンクロレリーズ。
【請求項２】
人為的に操作されるレリーズスイッチと、前記ミラーアップ作動を電気的に行わせるミラーアップ制御部と、前記レンズシャッターを電気的に作動させる第１シャッター制御部と、電子スチルカメラのシャッターを作動させる第２シャッター制御部と、前記シンクロ端子の状態を取り出す信号取出し部とを備えると共に、
前記レリーズスイッチからの信号に基づいて前記ミラーアップ制御部と前記第２シャッター制御部とに作動信号を出力する制御手段を備え、前記信号取出し部で取り出したＯＮ状態に基づいて前記第１シャッター制御部に作動信号を伝える操作手段を備えている請求項１記載のシンクロレリーズ。
【請求項３】
前記第１シャッター制御部は前記レンズシャッターを作動させるソレノイドレリーズで構成され、前記操作手段は前記信号取出し部を介して前記ソレノイドレリーズに電力を供給するケーブルで構成されている請求項２記載のシンクロレリーズ。
【請求項４】
前記請求項１〜３のいずれか１項に記載のシンクロレリーズを用いた写真の撮影方法であって、
前記銀塩カメラと電子スチルカメラとで同じ被写体を撮影するよう構図を決め、前記銀塩カメラのシンクロ端子にストロボ発光装置のシンクロコードを接続し、前記電子スチルカメラのシャッター速度を、前記銀塩カメラのレンズシャッターが作動を完了するまで開放状態を維持する速度に設定する写真の撮影方法。
【発明の詳細な説明】
【技術分野】
【０００１】
本発明は、撮影画像を銀塩式のフィルムに保存する銀塩カメラと、撮影画像をデジタル信号化して記録媒体に保存する電子スチルカメラとを同期して撮影作動させるシンクロレリーズ、及び、このシンクロレリーズを用いた写真の撮影方法に関する。
【背景技術】
【０００２】
上記のように銀塩カメラと電子スチルカメラとを同期させて撮影する技術と関連するものとして特許文献１及び特許文献２に記載されるものが存在する。特許文献１は、銀塩カメラと電子スチルカメラとストロボ装置と制御装置とからカメラシステムが構成され、制御装置の制御回路と銀塩カメラのマイクロプロセッサ及び電子スチルカメラのマイクロプロセッサとを通信可能に接続し、銀塩カメラで設定された撮影条件が電子スチルカメラに通信によって伝えられ、この電子スチルカメラの撮影条件を設定し、レリーズ指令に基づいて両カメラで同時に撮影を行うよう構成されている。
【０００３】
特許文献２は、フィルムの一眼レフカメラ（本発明の銀塩カメラ）のホットシュウに対して取り付け可能に構成したデジタルカメラ（本発明の電子スチルカメラ）が示されている。このデジタルカメラは、一眼レフカメラのシャッターでの撮影時には、ホットシュウの電圧状態からデジタルカメラの画像記録作動（撮影）が行われるよう構成されている。
【０００４】
【特許文献１】特開平１１‐１２２５１９号公報（段落番号〔００２０〕〜〔００３５〕、図１、図２）
【特許文献２】特開２０００‐２７８５７６号公報（段落番号〔０００５〕〜〔０００８〕、図１〜図３）
【発明の開示】
【発明が解決しようとする課題】
【０００５】
写真館のスタジオでの記念写真の撮影や、ポートレートの撮影、あるいは商品の撮影を考えた場合、ブローニータイプの写真フィルム（１２０サイズや２２０サイズのフィルム）を用いる銀塩カメラ（以下、中判カメラと称する）を撮影に使用することが多い。その理由として、中判カメラを用いて撮影した画像を印画紙にプリントしたものは、３５ｍｍサイズ（１３５サイズ）の写真フィルムを用いたものと比較して粒子が細かく高画質の画像が得られるためである。しかしながら、中判カメラに限らず写真フィルムを撮影に使用した場合には、写真フィルムの現像処理を行った後に、この写真フィルムの画像を印画紙に露光し、現像処理を行わねばならずプリントの仕上がりまでに時間を必要とするものであった。従って、複数コマの中からプリントすべきものを顧客が選択する際にも、プリントの仕上がりを待たねばならず、時間を無駄にするものであった。
【０００６】
そこで、特許文献１に記載されるように銀塩カメラと電子スチルカメラとで同じ被写体を撮影し、この撮影の直後に、電子スチルカメラで撮影した画像をディスプレイ等に表示し、この表示に基づいてプリントすべき画像の指定を求めることや、必要な場合にはトリミングの依頼を受けることも望まれていた。
【０００７】
ところで、スタジオで使用される中判カメラは、レンズシャッターを備えた６×７版の一眼レフタイプでフィルムホルダを９０度回転できるものが多く使用されている。この種の中判カメラは比較的安価で多機能であるが、例えば、フォーカルプレンシャッターを備えた３５ｍｍ版の一眼レフ型の銀塩カメラと比較すると、シャッター操作を行ってから現実に撮影が開始されるまでタイムラグが大きい特性がある。このタイムラグは操作感覚から全く問題のないものであるが、電子スチルカメラと同時に撮影する操作を考えた場合、同期撮影を行い難いものであった。
【０００８】
具体的に説明すると、前述した中判カメラはシャッター操作を行った場合には、先ずレンズを閉じる作動とミラーをアップする作動とが並行して行われ、レンズシャッターが完全に閉じ、ミラーが完全にアップした状態に達した後に、ボディ内部に備えた遮光体（ミラーとフィルムホルダとの中間位置に配置）の遮光を解除する作動を行い、この遮光解除が完了した後にレンズシャッターが設定された時間だけ開放して閉じる作動を行うようシーケンスが設定されている。つまり、レンズシャッターの作動時間は短いものの、このレンズシャッターが作動するまでに時間を要していたのである。従って、この中判カメラと電子スチルカメラとを同期させて撮影するためには、中判カメラのシャッター操作を行った後、予め設定された時間が経過して中判カメラのレンズシャッターが作動を開始するタイミングで、電子スチルカメラのシャッターが作動を開始するように精度の高い制御を必要とするものであった。
【０００９】
また、この種の中判カメラでは、シャッター操作の後にレンズシャッターが作動を開始するまでの時間がカメラの個体毎に僅かに異なり、経年変化によっても変化するため、前述したように精度高く制御を行う場合でも、カメラ毎にディレイタイムの設定を行わねばならず手間が掛かり、しかも、経年変化に伴って微調整を必要とするものであった。
【００１０】
また、特許文献２に記載されたものと同様に中判カメラのシンクロ接点と電子スチルカメラのシャッターとを電気的に連係させることも考えられるが、例えば、電子スチルカメラとしてフォーカルプレン型のシャッターを備えたものを使用し、中判カメラのシャッター速度を１／１２５秒のように比較的高速に設定している場合には、中判カメラのシャッターの作動が完了した時点で、電子スチルカメラのシャッターの開放状態が継続していることもあり、撮影タイミングが微妙に異なる点において改善の余地がある。
【００１１】
本発明の目的は、シャッター操作からシャッター作動までに比較的大きいタイムラグを有した銀塩カメラと、電子スチルカメラとを連係して同時に撮影を行えるシンクロレリーズと、そのシンクロレリーズを用いた撮影方法とを構成する点にある。
【課題を解決するための手段】
【００１２】
本発明の特徴は、撮影画像を銀塩式のフィルムに保存する銀塩カメラと、撮影画像をデジタル信号化して記録媒体に保存する電子スチルカメラとを同期して撮影作動させるシンクロレリーズにおいて、
前記銀塩カメラは、ミラーアップ作動と、レンズシャッターの作動とを独立して行えるよう構成され、前記電子スチルカメラは、シャッターの作動と連係してＯＮ状態となるシンクロ端子を備えて構成され、
レリーズ操作に基づいて前記銀塩カメラのミラーアップ作動と、前記電子スチルカメラのシャッター作動とを並行して行い、次に前記シンクロ端子からの信号に基づいて前記レンズシャッターを作動させるよう作動順序を設定した点にある。
【００１３】
この構成により、レリーズ操作を行った際には、銀塩カメラのミラーアップ作動と電子スチルカメラのシャッター作動とを並行して行い、次に、電子スチルカメラのシンクロ端子からの信号に基づいて銀塩カメラのシャッターを作動させる。つまり、銀塩カメラにおいてタイムラグの原因となるミラーアップを先に行い、電子スチルカメラのシャッター作動に基づくシンクロ端子からの信号に基づいてレンズシャッターを作動させることにより、電子スチルカメラのシャッターとのタイムラグを極めて小さくして、電子スチルカメラのシャッターが開放している状況下でレンズシャッターを開放させることが可能となる。その結果、比較的大きいタイムラグを有した銀塩カメラと電子スチルカメラとを連係して同時に撮影を行えるシンクロレリーズが構成された。
【００１４】
本発明は、人為的に操作されるレリーズスイッチと、前記ミラーアップ作動を電気的に行わせるミラーアップ制御部と、前記レンズシャッターを電気的に作動させる第１シャッター制御部と、電子スチルカメラのシャッターを作動させる第２シャッター制御部と、前記シンクロ端子の状態を取り出す信号取出し部とを備えると共に、前記レリーズスイッチからの信号に基づいて前記ミラーアップ制御部と前記第２シャッター制御部とに作動信号を出力する制御手段を備え、前記信号取出し部で取り出したＯＮ状態に基づいて前記第１シャッター制御部に作動信号を伝える操作手段を備えても良い。
【００１５】
この構成により、銀塩カメラにミラーアップ制御部をセットし、電子スチルカメラに第２シャッター制御部をセットし、電子スチルカメラのシンクロ端子に信号取出し部をセットし、銀塩カメラに第１シャッター制御部をセットした状態において、レリーズ操作を行うことにより制御手段からの作動信号により銀塩カメラのミラーアップ作動と、電子スチルカメラのシャッターの作動とが並行して行われ、次に、電子スチルカメラのシャッターと連係したシンクロ端子のＯＮ状態への切り換わりを操作手段が第１シャッター制御部に伝えてレンズシャッターを作動させ、銀塩カメラと電子スチルカメラとで同時に撮影を行えるのである。
【００１６】
本発明は、前記第１シャッター制御部が前記レンズシャッターを作動させるソレノイドレリーズで構成され、前記操作手段は前記信号取出し部を介して前記ソレノイドレリーズに電力を供給するケーブルで構成しても良い。
【００１７】
この構成により、電子スチルカメラのシャッター作動と連係してシンクロ端子がＯＮ状態に達した場合には、信号取出し部とケーブルとを介してソレノイドレリーズに電力が供給され、このソレノイドレリーズによってレンズシャッターを作動させることが可能となる。
【００１８】
本発明は、前記銀塩カメラと電子スチルカメラとで同じ被写体を撮影するよう構図を決め、前記銀塩カメラのシンクロ端子にストロボ発光装置のシンクロコードを接続し、前記電子スチルカメラのシャッター速度を、前記銀塩カメラのレンズシャッターが作動を完了するまで開放状態を維持する速度に設定するよう写真の撮影方法を構成しても良い。
【００１９】
この構成により、シンクロレリーズを使用して撮影を行った際には、電子スチルカメラのシャッターが作動を開始した後にシンクロ端子からの信号によって銀塩カメラのレンズシャッターが作動を開始した際には、電子スチルカメラのシャッターが既に開放状態にあるので、レンズシャッターの作動と連係したストロボ発光装置の閃光によって銀塩カメラと電子スチルカメラとで撮影を行える。その結果、電子スチルカメラのシャッター速度を設定する程度の操作を行い、ストロボ発光装置を用いるだけで、銀塩カメラと電子スチルカメラとのシャッター速度に多少の差異があるものの、同じ対象を同じタイミングで撮影できるのである。
【発明を実施するための最良の形態】
【００２０】
以下、本発明の実施形態を図面に基づいて説明する。
図１及び図２に示すように、１００ボルトの商用電源からの電力を低電圧の直流電力に変換して出力する電源アダプター１と、この電源アダプター１から電力が供給される制御装置２（制御手段の一例）と、この制御装置２に対してレリーズ信号を伝えるレリーズボタン３と、制御装置２からの制御信号に基づいて銀塩カメラＡのシャッターを作動させるシャッター制御端子７（ミラーアップ制御部として機能する）と、制御装置２からの制御信号に基づいて電子スチルカメラＢのシャッターを作動させるシャッター制御端子５（第２シャッター制御部の一例）と、電子スチルカメラのＸ接点型のシンクロ端子２４に装着されるホットシュー６（信号取出し部の一例）と、銀塩カメラＡのレンズシャッターを作動させるソレノイドレリーズ４（第１シャッター制御部の一例）とを備えてシンクロレリーズが構成されている。
【００２１】
前記銀塩カメラＡは、ソレノイドレリーズ４をレンズに装着した状態で前記シャッター制御端子７でシャッター操作を行った場合には、ミラーアップ状態に達してレンズシャッターを切る直前の状態が維持され、この後に、前記ソレノイドレリーズ４を作動させることによってレンズシャッターの作動を行える機能を具備している。このような機能を利用することにより、本発明のシンクロレリーズは、シャッター制御端子７がミラーアップ制御部として機能し、ソレノイドレリーズ４が第１シャッター制御部として機能する（制御の詳細は後述する）。
【００２２】
図３に示すように、前記制御装置２は、前記電源アダプター１からの電力を制御する電源スイッチＳＷと、この電源スイッチＳＷがＯＮ状態にある際に点灯する電源ランプとして機能する発光ダイオードＬＥＤとを備えると共に、前記レリーズボタン３に内蔵したレリーズスイッチ３Ａからの信号を処理するシュミット・トリガー回路Ｓと、このシュミット・トリガー回路Ｓから入力された信号を基準として設定した時間だけ駆動信号を出力するタイマ回路Ｔを備え、このタイマ回路Ｔからの駆動信号で作動する第１リレーＲ１と第２リレーＲ２とを備えている。ホットシュー６に対して制御装置２から電力を印加する電力系を形成し、このホットシュー６とソレノイドレリーズ４とは操作手段としてのケーブル８によって電気的に接続されており、タイマ回路Ｔはミラーアップ作動を開始した後にレンズシャッターが作動を完了するに充分な時間だけ第１リレーＲ１と第２リレーＲ２とに対して同時に駆動信号を出力して第１リレーＲ１と第２リレーＲ２とＯＮ状態に維持するよう構成されている。また、第１リレーＲ１はシャッター制御端子７をＯＮ状態に設定するよう機能し、第２リレーＲ２はシャッター制御端子５をＯＮ状態に設定するよう機能する。
【００２３】
本発明のシンクロレリーズは、レリーズボタン３の操作でレリーズボタン３に内蔵したレリーズスイッチ３ＡがＯＮ状態に達することにより銀塩カメラＡと電子スチルカメラＢとを同期して撮影作動させる機能を有するものであるが、このシンクロレリーズの作動を説明する以前に銀塩カメラＡと電子スチルカメラＢとの構造を説明する。
【００２４】
図面には銀塩カメラＡとしてマミヤＲＺ（マミヤ・オーピー株式会社の商品名）を示し、電子スチルカメラＢとしてキャノンＥＯＳデジタルｋｉｓｓ（キヤノン株式会社の商品名）を示している。
【００２５】
前記銀塩カメラＡは、図１、図２、図４、図５に示すように、ボディ１０の前端にレンズシャッターと絞りとを内蔵したレンズ１１を備え、ボディ１０の後端にブローニータイプの写真フィルムを収納するフィルムホルダ１２を備え、ボディ１０の内部にミラーＭと遮光体ＬＳとを備え、ボディ１０の上面にフォーカシングスクリーンＦＳを備えた６×７判の一眼レフタイプに構成されている。この銀塩カメラＡは、ボディ１０の側面のレバー１３を操作することでレンズシャッターのチャージとミラーＭのセットとフィルムホルダ１２におけるフィルムの巻き上げを行え、ボディ１０に備えたフォーカシングノブ１４の操作でピント調節を行え、ボディ１０の前面のシャッターボタン１５の人為操作、又は、レリーズ端子１６の電気的な操作でシャッター操作を行えるよう構成されている。
【００２６】
この銀塩カメラＡでは、シャッター操作を行った場合には、ミラーアップ作動と連動してレンズシャッターを閉じる作動が行われ、ミラーアップとシャッターの閉じ作動が完了した時点で遮光体ＬＳによる遮光を解除し、この後に、レンズシャッターが設定された時間だけ開放して閉じるようにシーケンスが設定されている。
【００２７】
特に、この銀塩カメラＡは、レンズ１１の側部のミラーアップソケット１７に対してソレノイドレリーズ４を装着した状態でレリーズ端子１６によってシャッター操作を行った場合には、ミラーＭをミラーアップし、レンズシャッターを閉じ状態にセットし、遮光体ＬＳの遮光状態を解除する状態（シャッターは開作動しない状態：以下ミラーアップ状態と称する）にセットできるように構成され、更に、このミラーアップ状態において、ソレノイドレリーズ４を作動させることにより、レンズシャッターを作動させて露光を行えるものである。尚、前記レリーズ端子１６は内部の端子を導通状態（ＯＮ状態）にすることによりシャッター操作（ミラーアップ操作）を実現するものである。
【００２８】
この銀塩カメラＡは、レンズシャッターが開放したタイミングで導通状態（ＯＮ状態）となるＸ接点型のシンクロ端子１８を備え、レンズ１１に絞りリング１１Ａを備え、ボディ１０にシャッター速度を設定するシャッター速度ダイヤル１９を備え、ボディ１０の下面には、レンズシャッターのチャージとミラーＭのセットとフィルムホルダ１２における写真フィルムの巻き上げを電池からの電力で実現するワインダーＷを備えている。
【００２９】
前記電子スチルカメラＢは、ボディ２０の前面にレンズ２１を備え、ボディ２０の内部にレンズ２１からの光線を反射するクイックリターン型のミラーと、フォーカルプレン型のシャッターと、レンズ２１からの像をデジタル信号化するＣＣＤ等の光電変換素子（図示せず）とを備え、ボディ２０の上部にミラーからの像を確認するペンタプリズム型のファインダーを備え、ボディ２０に分離自在にセットされた半導体メモリ等の記録媒体（図示せず）にデジタル信号化した撮影画像を保存する機能を有した一眼レフ型に構成されている。この電子スチルカメラＢは、ボディ２０に人為操作型のシャッターボタン２２と、撮影モードを設定するモードスイッチ２３と、Ｘ接点型のシンクロ端子２４とを備え、ボディ２０の側面にシャッターを電気的に作動させるシャッター端子２５を備えている。尚、このシャッター端子２５は内部の端子を導通状態（ＯＮ状態）にすることによりシャッター操作を実現するものである。
【００３０】
前記銀塩カメラＡは、シャッター操作を行った場合にミラーＭがミラーアップし、レンズシャッターが閉じ、遮光体ＬＳが跳ね上がって遮光が解除されるまでに０．５秒必要とし、このタイミングから０．０５秒後にレンズシャッターが開放状態に達する。つまり、シャッター操作からレンズシャッターが開放状態に達するまでに０．５５秒必要としている。また、電子スチルカメラＢでシャッター操作を行った場合には、シャッターが開放するまで（フォーカルプレンシャッタの先膜が開放位置に達するまで）に０．７５秒必要とするものである。尚、この銀塩カメラＡ及び電子スチルカメラＢは夫々とも人為的なシャッター操作と電気的なシャッター操作との何れの操作形態でも上記した数値に変わりはない。
【００３１】
そして、この銀塩カメラＡと電子スチルカメラＢとで同じ被写体を撮影する際には、図１に示す如く、三脚３１の雲台に固定したプレート３２に夫々のカメラＡ、Ｂを支持して同じ被写体を撮影するよう銀塩カメラＡのフォーカシングスクリーン、電子スチルカメラＢのファインダーで構図を確認した状態でシンクロレリーズを適正にセットする。具体的には、ソレノイドレリーズ４を銀塩カメラＡのレンズ１１のミラーアップソケット１７に装着し、シャッター制御端子５を電子スチルカメラＢのシャッター端子２５に接続し、ホットシュー６をシンクロ端子２４に接続し、シャッター制御端子７をレリーズ端子１６に接続し、電源アダプター１を商用電源のコンセントに接続し、更に、シンクロ端子１８に対してストロボ発光装置３３のシンクロコード３３Ａを接続することになる。
【００３２】
このシンクロレリーズを使用する場合には、銀塩カメラＡのシャッター速度を１／６０秒や１／１２５秒等の比較的高速に設定することも可能であるが、電子スチルカメラＢのシャッター速度は、この電子スチルカメラＢのシンクロ端子２４がＯＮ状態に達した後に、銀塩カメラＡのレンズシャッターが開放して閉じるまでの充分な値として１／３０秒以下に設定することになる。また、銀塩カメラＡの絞りの値も電子スチルカメラＢの絞りの値もストロボ発光装置３３のガイドナンバーに基づいて被写体を撮影するに最適な値に設定すれば良い。尚、この電子スチルカメラＢの場合、フォーカルプレン型のシャッターの先膜が開放位置に達した後に、後膜が作動を開始するまでの時間のうちに銀塩カメラＡのレンズシャッターの作動が完了するに充分な時間として前述したように１／３０秒以下の値が選択されている。ちなみに、この電子スチルカメラＢではシャッター速度と絞りとの設定は前記モードスイッチ２３を人為的に操作することにより実現する。
【００３３】
このようにセッティングし、制御装置２の電源スイッチＳＷをＯＮ状態にセットした状態でレリーズボタン３を操作（レリーズ操作）してレリーズスイッチ３ＡがＯＮ状態に達した場合には、この操作と殆ど同じタイミングで第１リレーＲ１がＯＮ状態に達して、シャッター制御端子７からの信号で銀塩カメラＡがミラーアップ作動を開始し、これと並行して第２リレーＲ２がＯＮ状態に切り換わるのでシャッター制御端子５からの信号で電子スチルカメラＢのシャッターが作動を開始する。また、銀塩カメラＡではミラーアップ作動と連動してレンズシャッターを閉じ、ミラーアップとシャッターの閉じ作動が完了した時点で遮光体ＬＳによる遮光を解除するシーケンスが自動的に実行される。このシーケンスに従った作動は、前述したように電子スチルカメラＢのシンクロ接点２４がＯＮ状態に切り換わるまでの時間より短い。
【００３４】
電子スチルカメラＢのシャッターの作動によってシンクロ接点２４がＯＮ状態に切り換わったタイミングで、制御装置２からの電力がホットシュー６とケーブル８とを介してソレノイドレリーズ４に伝えられる結果、銀塩カメラＡのレンズシャッターが開放し、この開放と同期してシンクロ端子１８に接続するストロボ発光装置３３が発光し、シャッター速度ダイヤル１９で設定された時間（例えば１／１２５秒）だけ開放して閉じる作動が行われる。
【００３５】
これにより、電子スチルカメラＢのシャッターが先行して開放する作動を行うものであるが、電子スチルカメラＢのシャッターが開放している時間帯において、必ず銀塩カメラＡのシャッターが開放し、この開放タイミングにおいてストロボ発光装置３３からの光線によって撮影が行われるので、同じタイミングでの撮影が実現するのである。つまり、電子スチルカメラＢにおけるシャッターの開放時間が、銀塩カメラＡのレンズシャッターの開放時間より長く設定されるものであるが、撮影時における露光時間はストロボ発光装置の発光時間（閃光時間）と一致すると考えられるので、同じタイミングでの撮影が実現するのである。
【００３６】
この撮影は複数コマ行われ、複数コマの撮影が終了した後に電子スチルカメラＢの記録媒体に保存されている撮影画像をパーソナルコンピュータ等にセットしてディスプレイに対して一覧化して表示し、この表示の中から最適なものを顧客が選択し、特定して貰うことにより、現像された写真フィルムから先に特定したコマを抽出し、そのコマから印画紙に対するプリントを行えるのである。
【００３７】
このように、本発明によるとレリーズボタン３を操作することにより、銀塩カメラＡのシャッター作動を遅延させる要因となっていたミラーアップ作動と、レンズシャッターの閉じ作動と、遮光体ＬＳの開放作動とを、レンズシャッターの作動より先行させる作動順序での制御が可能となるので、この銀塩カメラＡと電子スチルカメラＢとで同じ被写体を同じタイミングで撮影できるばかりでなく、このように夫々のカメラＡ、Ｂで同じ被写体を撮影する際には、ストロボ発光装置３３が極めて短い時間だけ閃光するので夫々のカメラＡ、Ｂのシャッター速度が異なるものでありながら、高速度の等しいシャッター速度で撮影した場合と同様の画像を得るのである。
【００３８】
〔別実施の形態〕
本発明は、上記した実施の形態以外に以下のように構成しても良い。
【００３９】
（イ）第２シャッター制御部（５）を機械的な作動によってシャッターを作動させるよう電磁ソレノイド等を備えて構成する。具体的には、図２に示す制御装置２において第２リレーＲ２から第２シャッター制御部に駆動信号を出力することになる。このように構成した場合には、機械的な操作力によってシャッターを作動させる構造の電子スチルカメラに適用することが可能となる。
【００４０】
（ロ）シンクロレリーズを構成する制御装置において、シュミット・トリガー回路Ｓやタイマ回路Ｔを備えず、レリーズボタン３のレリーズスイッチ３Ａから直接的に第１リレーＲ１、第２リレーＲ２に電力を供給するように構成しても良い。このように構成した場合には制御装置２の内部の回路が単純化して組み立てやすく低廉化する。
【００４１】
（ハ）シンクロレリーズを構成する制御装置の第１リレーＲ１と第２リレーＲ２とをトランジスタに代えても良い。このように構成した場合には、リレーを用いたものより高速な作動を実現し、接点の導通不良を発生することもない。
【図面の簡単な説明】
【００４２】
【図１】銀塩カメラと電子スチルカメラとに装着したシンクロレリーズの正面図
【図２】シンクロレリーズの装着形態を示す斜視図
【図３】シンクロレリーズのブロック回路図
【図４】銀塩カメラの側面図
【図５】銀塩カメラの正面図
【符号の説明】
【００４３】
２            制御手段
３Ａ          レリーズスイッチ
４            第１シャッター制御部・ソレノイドレリーズ
５            第２シャッター制御部
６            信号取出し部
７            ミラーアップ制御部
８            操作手段・ケーブル
１６          レリーズ端子
１８          シンクロ端子
２４          シンクロ端子
３３          ストロボ発光装置
３３Ａ        シンクロコード
Ａ            銀塩カメラ
Ｂ            電子スチルカメラ
【図１】
2005265983.tif 000003
【図２】
2005265983.tif 000004
【図３】
2005265983.tif 000005
【図４】
2005265983.tif 000006
【図５】
2005265983.tif 000007